(57)【特許請求の範囲】
【請求項１】
底板と、該底板に対して所定の角度で折曲げられた側板とを具備し、しかも互いに隣接する側板間を連結するように前記隣接する側板の内の一方の側板に折曲げ可能に接合片を連設し、該接合片を他方の側板に接着して接合し、前記接合片と前記一方の側板との間に折曲げ線に沿って間欠的に連結部を有する切断線を形成し、前記切断線の上端側の１／３以上の長さを残してそれよりも下側に前記連結部が形成され、しかも該切断線と交差するように斜め上方に向う斜めの切込みが形成されるとともに、前記斜めの切込みが前記切断線と９０度以下の交差角で前記切断線の連結部の下端から斜め上方に延びるように形成されていることを特徴とする紙製のトレー状容器。
【請求項２】
内表面に高分子フィルムが接合されるか樹脂層が形成された紙から作られていることを特徴とする請求項１に記載の紙製のトレー状容器。
【請求項３】
この容器内に入っている内容物をそのまま包丁で切ると、前記接合片の切断線が切断されて前記一方または他方の側板が前記底板と連結する平面を形成するように前記連結部の強度が設定されることを特徴とする請求項１に記載の紙製のトレー状容器。
【請求項４】
内容物をそのまま包丁で切るときに包丁の刃に当たる互いに向かい合う前記両側の側板に補強手段が設けられていることを特徴とする請求項３に記載の紙製のトレー状容器。
【発明の詳細な説明】
【技術分野】
【０００１】
本発明は紙製のトレー状容器に係り、とくに底板と、その周囲の側板とを紙によって連結して形成した紙製のトレー状容器に関する。
【背景技術】
【０００２】
例えば特開２００５−３５０１３３号公報には、方形の底板とその各辺に連接した４側板とからなる容器主体と、該容器主体の４側板を立てた状態で保持できる箱形の蓋体とを備え、容器主体の４側板のうち少なくとも１対の対向する側板にケーキカットのための目印を設け、組み立てた容器主体はケーキ成形時に金型内に装填することにより成形型枠として使用でき、また、ケーキ形成後は容器主体に箱形の蓋体を被冠することによりそのまま流通箱として使用でき、さらに、消費者がケーキを食するときに容器主体の４側板を展開するだけで等分に分割するための目印を有するまな板として使用できるようにしたケーキ用容器が開示されている。
【０００３】
このような容器は、底板の各辺に連設された４側板を外側に展開することによって、まな板として使用でき、側板に設けられた目印を利用して包丁で切ることにより内部に収納されたケーキを所定の間隔でカットすることができ、便利である。
【０００４】
しかるにこのような容器は、隣接する側板を分離して側板を外側に開かなければならない。すなわち組立てられた容器を箱のままで包丁でケーキをカットすることができない欠点がある。
【０００５】
また特開２００１−１８０６５２号公報には、柔軟且薄手の紙素材からなる包装枠材と挿入され、若しくは包装蓋材と嵌入される包装トレー材とからなり、該包装トレー材が強剛な紙若しくは生分解生プラスチックフィルム素材よりなる楕円形若しくは円形ブランクに菓子類の平面投影寸法に合せて横方向及び縦方向弱め線若しくはミシン目線が形成され、且これら相互の交点から更に４５度の角度で折合弱わ目線若しくはミシン目線が形成されてなり、この弱め線若しくはミシン目線の折り曲げにより菓子類を密着包被しえる側壁が形成されるとともに、該側壁の頂部の高さが菓子類の高さの７０乃至１００％であり、而も横方向及び縦方向弱め線若しくはミシン目線の外側に小分け目盛りが標記されてなる菓子類の包装容器が開示されている。
【０００６】
このような包装用容器の包装トレー材は、その長径側壁と短径側壁とが、菓子類の長辺側の側面と短辺側の側面にそれぞれ密着して直立した状態にある。従ってこのように包装トレー材で包囲されたままの状態で菓子類を包丁で切断しようとすると、包丁の刃が包装トレー材の長径側側壁に直交するようになり、これによって包丁による菓子類の切断作業を円滑に遂行することを妨げるようになる。すなわち菓子類が包装トレー材に包囲されたままの状態で包丁で切断することができない。
【先行技術文献】
【特許文献】
【０００７】
【特許文献１】特開２００５−３５０１３３号公報
【特許文献２】特開２００１−１８０６５２号公報
【発明の概要】
【発明が解決しようとする課題】
【０００８】
本願発明の課題は、内容物を容器から取出すことなく、また予め側板を外側に開かなくても、内容物を直接包丁で切断することができる紙製のトレー状容器を提供することである。
【０００９】
本願発明の別の課題は、容器に入っている内容物をそのまま切断すると、隣接する側板間を連結している接合片が根元側の切断線のところで自動的に切断され、これによって側板が自動的に外側に開くようにした紙製のトレー状容器を提供することである。
【００１０】
本願発明の別の課題は、紙製のトレー状容器に入っている内容物をそのまま切断しようとする場合に、隣接する側板間を連結している接合片が根元側の切断線のところで軽い力で破断され、側板が外側に開いて容器がまな板になる紙製のトレー状容器を提供することである。
【００１１】
本願発明の上記の課題および別の課題は、以下に述べる本願発明の技術的思想、およびその実施の形態によって明らかにされる。
【課題を解決するための手段】
【００１２】
本願の主要な発明は、底板と、該底板に対して所定の角度で折曲げられた側板とを具備し、しかも互いに隣接する側板間を連結するように前記隣接する側板の内の一方の側板に折曲げ可能に接合片を連設し、該接合片を他方の側板に接着して接合し、前記接合片と前記一方の側板との間に折曲げ線に沿って間欠的に連結部を有する切断線を形成し、前記切断線の上端側の１／３以上の長さを残してそれよりも下側に前記連結部が形成され、しかも該切断線と交差するように斜め上方に向う斜めの切込みが形成されるとともに、前記斜めの切込みが前記切断線と９０度以下の交差角で前記切断線の連結部の下端から斜め上方に延びるように形成されていることを特徴とする紙製のトレー状容器に関するものである。
【００１３】
ここで、内表面に高分子フィルムが接合されるか樹脂層が形成された紙から作られてよい。またこの容器内に入っている内容物をそのまま包丁で切ると、前記接合片の切断線が切断されて前記一方または他方の側板が前記底板と連結する平面を形成するように前記連結部の強度が設定されるようにしてよい。また内容物をそのまま包丁で切るときに包丁の刃に当たる互いに向かい合う前記両側の側板に補強手段が設けられてよい。
【発明の効果】
【００１４】
本願の主要な発明は、底板と、該底板に対して所定の角度で折曲げられた側板とを具備し、しかも互いに隣接する側板間を連結するように隣接する側板の内の一方の側板に折曲げ可能に接合片を連設し、該接合片を他方の側板に接着して接合し、接合片と一方の側板との間に折曲げ線に沿って間欠的に連結部を有する切断線を形成し、しかも該切断線と交差するように斜め上方に向う斜めの切込みが形成されるようにしたものである。
【００１５】
従ってこのような紙製のトレー状容器によると、その中に入っている内容物をそのままで包丁で切断しようとすると、接合片がその根元側の切断線のところで切断されて側板が外側に開くようになる。従って側板とこの側板に連結された底板が一体となってまな板となった状態で、内容物をそのまま切断することが可能になる。とくに、接合片を折曲げ可能に連結している切断線に斜め上方に向うように切込みが形成されているために、切断線に沿う接合片の切断が容易に行なわれるようになる。
【図面の簡単な説明】
【００１６】
【図１】第１の実施の形態の紙製のトレー状容器の展開平面図である。
【図２】同トレー状容器の組立て斜視図である。
【図３】コーナの部分の構成を示す拡大平面図である。
【図４】コーナの部分の変形例の構成を示す拡大平面図である。
【図５】包丁で内容物を切断する状態を示す外観斜視図である。
【図６】第２の実施の形態の紙製のトレー状容器の展開平面図である。
【図７】同トレー状容器の組立て斜視図である。
【図８】変形例に係る紙製のトレー状容器の展開平面図である。
【発明を実施するための形態】
【００１７】
以下本願発明を図示の実施の形態によって説明する。まず第１の実施の形態を説明すると、この実施の形態は、図１に示すような原紙１０を用いて組立てられる紙製のトレー状容器である。
【００１８】
このトレー状容器は、図１に示すようにほぼ長方形の上質紙から成る原紙１０を用いて組立てられる。なおこの原紙１０には、その内表面にあたる部分にポリエチレンフィルム等の高分子フィルムが予め接合されるか耐水性樹脂層が形成されており、これによって耐水性を付与されている。そしてこのような原紙１０のほぼ中央部には矩形の底板１１が形成されるとともに、この底板１１の長辺側の部分には折曲げ線１２を介して長辺側側板１３が折曲げ可能に連設される。また底板１１の短辺側には折曲げ線１４を介して短辺側側板１５が折曲げ可能に連設される。そして上記長辺側側板１３の先端側の部分には折曲げ線１６を介して補強片１７が折曲げ可能に連結されている。なお補強片１７は、その先端側であって両端の部分にそれぞれ切欠き１８を形成している。
【００１９】
次に長辺側側板１３と短辺側側板１５との間に設けられる接合片２２について説明する。接合片２２は、例えば短辺側側板１５に折曲げ線を兼ねる切断線２３によって折曲げ可能に連設されている。切断線２３はミシン目状であって、間欠的な連結部２４を有しており、この連結部２４の部分で短辺側側板１５の斜めの端縁に連結されている。なお切断線２３にはその連結部２４の下端から斜め上方に延びるように切込み２５が形成され、これによって切断の動作を安定かつ円滑に行なうようにしている。
【００２０】
図３はとくに接合片２２の切断のための構成を拡大して示したものであって、切断線２３に形成される複数の連結部２４は、切断線２３の上側の部分Ｌを残してその下側に形成される。ここでＬの長さは、切断線２３の全長の少なくとも１／３以上の長さを有している。すなわち、連結部２４の位置を、切断線２３の上端から１／３より下側に設けるようにしている。また連結部２４の下端から斜めに形成される切込み２５は、斜め上方に向って形成されており、図３における切断線２３と切込み２５との間の角度θが、９０度以下の値に設定される。このように斜め上方に向う切込み２５を有する連結部２４を、切断線２３の上端よりも１／３の部分を残してその下側に形成すると、軽い力で切断線２３が破断されることになる。一方で連結部２４の位置が極端に下側に形成されると、トレーの形態を維持できないことになる。
【００２１】
このような原紙１０によって、図２に示すように紙製のトレー状容器が組立てられる。すなわち底板１１に対してその両側の長辺側側板１３を外側に開くように折曲げ線１２のところで斜めに折曲げるとともに、短辺側板１５を外側に開くように折曲げ線１４のところで斜めに折曲げるようにする。なお長辺側側板１３および短辺側側板１５の傾斜角は水平方向に対して６０度程度であってよい。また長辺側側板１３の先端側の補強片１７を折曲げ線１６のところで外側に折曲げるようにし、これによって長辺側側板１３の外側であって上端に重合うようにする。
【００２２】
さらにここでは、長辺側側板１３と短辺側側板１５とを、互いに接合片２２によって接合する。すなわち長辺側側板１３の裏側に、接合片２２を接合するとともに、長辺側側板１３の両側端のエッジの部分が接合片２２の根元の切断線２３に整合するように接合片２２を長辺側側板１３の外側に接着する。
【００２３】
なお接合片２２の部分における連結部２４および切込み２５を有する切断線２３の構成については、図３に示すように、３箇所に連結部２４を形成するとともに、それらの連結部２４の下端側に斜めに上方に向う切込み２５を形成している。このような構成に代えて図４に示すように、切断線２４に沿って３箇所に連結部２４を形成するとともに、これらの連結部２４の下端側において、切断線２３に対して交互に左右逆方向に成るように切込み２５を形成するようにしてもよい。
【００２４】
このような構成の紙製のトレー状容器によると、図５に示すように、このトレー状容器内に入っている例えば肉３０を、そのままの状態で包丁３１を用いて切断することができる。すなわち肉３０に対して包丁３１の刃を入れると、この包丁３１の刃の先端部と後端部とがそれぞれ底板１１の外側に折曲げ可能に連結されている長辺側側板１３を押すことになり、そのまま押下げていくと、包丁３１による力によって、接合片２２の切断線２３の部分が切断されるようになり、このために長辺側側板１３はそれぞれ外側へ開くようになる。すなわち切断線２３には短い連結部２４が設けられるとともに、連結部２４の下端から斜めの切込み２５が斜め上方に延びて形成されており、切断線２３と切込み２５がＶ字状に交差し、その交差位置に連結部２４が位置することになる。従って弱い力で容易に連結部２４が切断されるとともに、切断線２３以外の部位が切断されない。長辺側側板１３の上端部には補強片１７が折返して接合されており、切断線２３が切断される前に長辺側側板１３が潰れることはない。
【００２５】
このような切込み２５を有する切断線２３によって、底板１１と長辺側側板１３とが互いに連続した１つの平面をなすようになり、あたかも底板１１と長辺側側板１３と短辺側側板１５とがまな板を構成することになる。従ってそのままの状態で肉３０を包丁３１で切断することができる。従ってまな板を用いずに、このトレー状容器に入っている内容物をそのまま包丁３１を用いて切断し、調理をすることができるようになる。しかも、長辺側側板１３を予め外側へ開いておく必要がなく、包丁３１による切断操作の際に自動的に長辺側側板１３が外側に開くことになる。従ってトレー状容器内に入っている内容物の調理の操作が極めて軽便になる。またこのようなトレー状容器は、上述の如く長辺側側板１３と短辺側側板１５とを連結している接合片２２が切断線２３に沿って切断されるために、扁平な状態になり、これによって廃棄するときにかさばらない利点を生ずる。
【００２６】
なおこのようなトレー状容器は、必ずしも肉３０を入れて販売するのに用いられるばかりでなく、その他各種の食品一般を収納して販売するのに用いられる。すなわち、ソーセージ、ピザ、野菜、果物、ケーキ、菓子等の食品を入れて陳列し、販売するようにしてもよい。すなわち、スーパーマーケット等で販売される食品であって、切って食べたり調理したりするものの総てに用いることが可能である。またこのようなトレー状容器は、野外でバーベキュー等を行なう際に、中に入っている肉を切断する際に、まな板を必要とせず、極めて便利である。
【００２７】
次に別の実施の形態を図６および図７によって説明する。この実施の形態の紙製のトレー状容器は、図６に示すような板紙原紙４０によって組立てられる。ここでも板紙原紙４０は、上質紙から構成されるとともに、少なくとも内表面にはポリエチレンフィルム等の高分子フィルムが接合されるか、耐水性樹脂層が形成され、耐水性が与えられている。
【００２８】
原紙４０のほぼ中央部には、その長さ方向の中間部が側方に膨出するような湾曲した折曲げ線４２が形成されており、このような折曲げ線４２によって長辺側側板４３が底板４１の長辺側の部分に連設されている。また底板４１の短辺側には、直線状の折曲げ線４４を介して短辺側側板４５が形成されている。また長辺側側板４３の先端部には、湾曲した折曲げ線４６を介して長辺側フランジ４７が連設されている。また短辺側側板４５の先端部には折曲げ線４８を介して短辺側フランジ４９が連設されている。
【００２９】
次に長辺側側板４３と短辺側側板４５との間に形成されている接合片５２について説明すると、長辺側側板４３と短辺側側板４５との間には、二等辺三角形の接合片５２が設けられており、この接合片５２は切断線５３によって短辺側側板４５の両端に折曲げ可能に連結されている。すなわち切断線５３には間欠的に複数箇所に連結部５４がミシン目状に形成され、しかもこの連結部５４の下端から斜め上方に延びるように、切込み５５が形成されている。ここで切込み５５の切断線５３に対する角度は、９０度以下の角度に設定される。また連結部５４は切断線５３の上端側の少なくとも１／３を残してその下側に形成される。また短辺側フランジ４９の両端には、上記接合片５２の上縁に沿って延びるように突片５８が形成される。
【００３０】
図７はこのような構成の原紙４０によって紙製のトレーを組立てた状態を示しており、ここでは、長辺側側板４３を湾曲した折曲げ線４２のところで折曲げ、短辺側側板４５を折曲げ線４４のところで折曲げる。底板４１はこのときに、長辺側側板４３の長さ方向の中間部が高く、両端が低い状態に湾曲する。そして長辺側側板４３と短辺側側板４５との間に位置する接合片５２を、切断線５３のところで折曲げ、長辺側側板４３の外表面上に接合して接着する。なおこのときに、短辺側側板４５の両側端から延びる突片５８が長辺側側板４３の先端部に形成されるフランジ４７の両端を下から支えるようにしている。これによって、図７に示すようにほぼ船形の紙製のトレー状容器が組立てられる。このような容器は、底板４１が湾曲しており、また長辺側側板４３と短辺側側板４５の上縁にそれぞれフランジ４７、４９を備えているために、強度が高く、保型性を有する。
【００３１】
このような容器についても、その内部であって底板４１に収納された内容物を包丁を用いてそのまま切断することができる。すなわち包丁によって内容物を切断しようとすると、この包丁の刃の長さ方向の先端部と後端部とがそれぞれ長辺側側板４３の上端を押すことになり、この力によって接合片５２の根元側の切断線５３上に形成される連結部５４が、切込み５５によって誘導されて軽い力で破断される。従って接合片５２による長辺側側板４３と短辺側側板４５との連結が解除される。従って、包丁で内容物を切断すると、両側の長辺側側板４３と両端の短辺側側板４５とが底板４１と連続する平坦な状態になり、これによって内容物を容易に切断できるようになる。
【００３２】
次に上記実施の形態の変形例を図８によって説明する。上記の実施の形態は、長辺側側板４３の根元側の折曲げ線４２が湾曲した曲線から構成されている（図６参照）。従ってこのようなトレー状容器は、底板４１がその長辺側側板４３の長さ方向の中間部分が高く、両端が低い状態に湾曲する。そこで長辺側側板４３の根元側に互いに逆方向に湾曲した２本の折曲げ線６１、６２を図８に示すように形成する。また短辺側側板４５の根元側の部分に互いに逆方向に湾曲した折曲げ線６３、６４を形成する。このような折曲げ線６１、６２、６３、６４によって、組立てた状態で底板４１が平坦な状態になる。従って、第１の実施の形態と同様にフランジ４７、４９による補強効果に加え、内容物を包丁で切断する際における操作性がさらに向上することになる。
【００３３】
以上本願発明を図示の実施の形態によって説明したが、本願発明は上記２つの実施の形態によって限定されることなく、本願発明の技術的思想の範囲内において各種の変更が可能である。例えば上記実施の形態における紙製トレー状容器の寸法や、具体的な形状については、収納される内容物の種類や大きさに応じて、種々の設計変更が可能である。また原紙１０、４０として、内表面のみならず外表面にも高分子フィルムを接合するか樹脂層を形成した耐水性の上質紙、その他の紙材を用いることが可能である。
【産業上の利用可能性】
【００３４】
本願発明は、各種の食品等の内容物を収納するためのトレー状容器として広く利用することが可能である。
【符号の説明】
【００３５】
１０  原紙
１１  底板
１２  折曲げ線
１３  長辺側側板
１４  折曲げ線
１５  短辺側側板
１６  折曲げ線
１７  補強片
１８  切欠き
２２  接合片
２３  切断線
２４  連結部
２５  切込み
３０  肉
３１  包丁
４０  原紙
４１  底板
４２  折曲げ線
４３  長辺側側板
４４  折曲げ線
４５  短辺側側板
４６  折曲げ線
４７  長辺側フランジ
４８  折曲げ線
４９  短辺側フランジ
５２  接合片
５３  切断線
５４  連結部
５５  切込み
５８  突片
６１、６２  折曲げ線
６３、６４  折曲げ線
【図１】
0005388800.tif 000002
【図２】
0005388800.tif 000003
【図３】
0005388800.tif 000004
【図４】
0005388800.tif 000005
【図５】
0005388800.tif 000006
【図６】
0005388800.tif 000007
【図７】
0005388800.tif 000008
【図８】
0005388800.tif 000009